(57)【要約】【課題】ローパスフィルタの遮断周波数を容易に、かつ正確に設定することができ、さらに、回路規模を小さくすることが可能な増幅回路、及び、半導体集積回路装置を提供する。【解決手段】増幅回路は、差動増幅回路１０の出力信号を差動増幅回路に反転入力させる帰還回路１２を含む。帰還回路１２は、出力信号をデジタル信号に変換するＡＤ変換器３０と、ＡＤ変換器から出力されたデジタル信号に所定の係数ｋを乗算した乗算値に基づくデジタル信号処理を行うデジタル信号処理部４０と、デジタル信号処理部から出力された信号をアナログ信号に変換するＤＡ変換器５０と、を含むローパスフィルタ２０を有し、かつ、ローパスフィルタ２０から出力された信号が、差動増幅回路１０に反転入力するように構成されている。そして、ローパスフィルタ２０の遮断周波数は、デジタル信号処理部４０で行われるデジタル信号処理によって設定される。【選択図】図２
2008022448.tif 000002
【特許請求の範囲】
【請求項１】
差動増幅回路の出力信号を前記差動増幅回路に反転入力させる帰還回路を含む増幅回路であって、
前記帰還回路は、
前記出力信号をデジタル信号に変換するＡＤ変換器と、
前記ＡＤ変換器から出力されたデジタル信号に所定の係数を乗算した乗算値に基づいてデジタル信号処理を行うデジタル信号処理部と、
前記デジタル信号処理部から出力された信号をアナログ信号に変換するＤＡ変換器と、
を含むローパスフィルタを有し、かつ、
前記ローパスフィルタから出力された信号が、前記差動増幅回路に反転入力するように構成されており、
前記デジタル信号処理によって、前記ローパスフィルタの遮断周波数が設定される増幅回路。
【請求項２】
請求項１記載の増幅回路において、
前記デジタル信号処理部は、
前記所定の係数の値を制御するための制御信号を生成する制御部と、
前記制御信号に基づき、前記所定の係数に対応した前記乗算値を生成する乗算値生成回路と、
を含む増幅回路。
【請求項３】
請求項２記載の増幅回路において、
前記制御部は、
前記差動増幅回路の前記出力信号に応じて、前記所定の係数の値を変化させる制御を行う増幅回路。
【請求項４】
請求項３記載の増幅回路において、
前記差動増幅回路の前記出力信号に基づいて前記差動増幅回路の飽和状態を検出し、検出信号を出力する検出部をさらに含み、
前記制御部は、
前記検出信号に基づいて、前記所定の係数の値を変化させる制御を行う増幅回路。
【請求項５】
請求項１から請求項４のいずれかに記載の増幅回路において、
前記デジタル信号処理部は、
記憶部と、
前記記憶部に格納された値と前記乗算値とを加算して、加算値を前記記憶部に出力する加算器とをさらに含み、
前記ＤＡ変換器は、前記記憶部に格納されたデジタル信号をアナログ信号に変換する増幅回路。
【請求項６】
請求項２から請求項４のいずれかを引用する請求項５記載の増幅回路において、
前記制御部は、
前記加算値が所定の値に収束するように前記係数の値を制御する増幅回路。
【請求項７】
請求項２から請求項６のいずれかに記載の増幅回路において、
前記乗算値生成回路は、
バレルシフタを含む増幅回路。
【請求項８】
請求項１から請求項７のいずれかに記載の増幅回路を含む半導体集積回路装置。
【発明の詳細な説明】
【技術分野】
【０００１】
本発明は、増幅回路及び半導体集積回路装置に関する。
【背景技術】
【０００２】
従来のセンサアプリケーションのアナログフロントエンド部では、センサからの微小信号を、信号のＤＣ成分を除去して増幅するために、或いは、増幅器のオフセットを除去するために、抵抗と容量（或いは増幅器）で構成するローパスフィルタ回路を利用している。
【特許文献１】特開平６−２６０８５１号公報
【発明の開示】
【発明が解決しようとする課題】
【０００３】
このフィルタの遮断周波数は抵抗や容量の大きさで決定するため、設定する遮断周波数によっては、容量や抵抗が大きくなり過ぎてＩＣ上に構成することが困難となる場合がある。また、ＩＣ上での実現精度の制約からも、これら要素をＩＣ上に構成することが困難となる場合があった。
【０００４】
また、ローパスフィルタ回路を、容量とＭＯＳスイッチによるスイッチドキャパシタ回路で構成する場合（遮断周波数は容量の大きさとサンプリング速度で決定される）においても、同様にＩＣ上で容量を安定して実現することが困難となる場合や、または動作速度の影響を受ける場合があり、ＩＣ化が困難となることがあった。
【０００５】
そして、ＩＣ化が困難なローパスフィルタ回路を実現するためには、通常、ＩＣの外側に容量や抵抗部品を別途準備する手段がとられている。
【０００６】
しかし、ローパスフィルタ回路の回路規模を小さくすることができれば、ローパスフィルタを含む増幅回路（フィルタアンプモジュール）の回路規模を小さくすることができ、これをＩＣによって実現することが可能になる。
【０００７】
本発明は係る課題に鑑みてなされたものであり、その目的は、ローパスフィルタの遮断周波数を容易に、かつ正確に設定することができ、さらに、回路規模を小さくすることが可能な増幅回路（フィルタアンプモジュール）、及び、半導体集積回路装置を提供することにある。
【課題を解決するための手段】
【０００８】
（１）本発明に係る増幅回路は、
差動増幅回路の出力信号を前記差動増幅回路に反転入力させる帰還回路を含む増幅回路であって、
前記帰還回路は、
前記出力信号をデジタル信号に変換するＡＤ変換器と、
前記ＡＤ変換器から出力されたデジタル信号に所定の係数を乗算した乗算値に基づいてデジタル信号処理を行うデジタル信号処理部と、
前記デジタル信号処理部から出力された信号をアナログ信号に変換するＤＡ変換器と、
を含むローパスフィルタを有し、かつ、
前記ローパスフィルタから出力された信号が、前記差動増幅回路に反転入力するように構成されており、
前記デジタル信号処理によって、前記ローパスフィルタの遮断周波数が設定される。
【０００９】
本発明に係る増幅回路によると、ローパスフィルタの遮断周波数は、デジタル信号処理によって設定される。そのため、本発明によると、遮断周波数を容易にかつ正確に設定することが可能なローパスフィルタを含んだ増幅回路を提供することができる。また、本発明に係る増幅回路によると、ローパスフィルタを、抵抗や容量を含まない構成とすることができるため、回路規模が小さい増幅回路を提供することができる。
【００１０】
詳しくは、本発明によって実現される増幅回路（フィルタアンプモジュール）によると、ローパスフィルタの機能を、デジタル処理技術を利用して実現する。特に、ローパスフィルタは、AD コンバータとDA コンバータ、デジタル信号処理部を含んでおり、このフィルタ回路の遮断周波数は、デジタル信号処理における係数の値（乗数）に基づいて設定される。そのため、本発明を適用することで、容量や抵抗の実現精度の制約や動作周波数の制約の影響を受けることなくローパスフィルタの遮断周波数を正確に設定でき、また、ローパスフィルタ回路（あるいはフィルタアンプモジュール、増幅回路）のＩＣ化が可能となる。
【００１１】
（２）この増幅回路において、
前記デジタル信号処理部は、
前記所定の係数の値を制御するための制御信号を生成する制御部と、
前記制御信号に基づき、前記所定の係数に対応した前記乗算値を生成する乗算値生成回路と、
を含んでいてもよい。
【００１２】
この増幅回路では、所定の係数の値が変化すると、デジタル信号処理部から出力される信号が変化し、ローパスフィルタから出力されるアナログ信号が変化する。すなわち、この増幅回路によると、所定の係数の値が変化することによって、ローパスフィルタの遮断周波数が変化する。すなわち、この構成をとることによって、ローパスフィルタの遮断周波数を、容易に設定及び変更することが可能な増幅回路を提供することができる。
【００１３】
なお、この増幅回路では、乗算値生成回路として、シフト量が可変なシフタ（例えばバレルシフタ）を利用してもよい。この場合、乗算値生成回路は、制御部から出力される制御信号（シフタ制御信号）によって、デジタル信号に乗じる係数の値（シフタのシフト量）が設定される構成をなしていてもよい。
【００１４】
あるいは、この増幅回路では、乗算値生成回路は、乗数の異なる複数の乗算回路を有する構成をなしていてもよい。この場合、当該複数の乗算回路によって、複数の乗算値が生成される。そして、乗算値生成回路は、制御部から出力される選択信号によって乗算回路（乗算値）を選択することによって、所望の乗算値を出力する構成をなしていてもよい。
【００１５】
（３）この増幅回路において、
前記制御部は、
前記差動増幅回路の前記出力信号に応じて、前記所定の係数の値を変化させる制御を行ってもよい。
【００１６】
この増幅回路によると、差動増幅回路からの出力信号に応じて、ローパスフィルタの遮断周波数を最適値に設定することが可能な、応答特性に優れた増幅回路を提供することができる。
【００１７】
（４）この増幅回路において、
前記差動増幅回路の前記出力信号に基づいて前記差動増幅回路の飽和状態を検出し、検出信号を出力する検出部をさらに含み、
前記制御部は、
前記検出信号に基づいて、前記所定の係数の値を変化させる制御を行ってもよい。
【００１８】
これにより、例えば差動増幅回路に突発的なノイズ信号が入力された場合であっても、ローパスフィルタの遮断周波数を変化させることで増幅回路の動作を正常な動作に戻すことが可能になる。すなわち、上記の構成をとることで、応答特性に優れた増幅回路を提供することができる。
【００１９】
（５）この増幅回路において、
前記デジタル信号処理部は、
記憶部と、
前記記憶部に格納された値と前記乗算値とを加算して、加算値を前記記憶部に出力する加算器とをさらに含み、
前記ＤＡ変換器は、前記記憶部に格納されたデジタル信号をアナログ信号に変換する構成であってもよい。
【００２０】
この増幅回路では、記憶部に格納された値（加算値）に基づいてローパスフィルタの遮断周波数が設定される。
【００２１】
なお、この構成をとる場合には、制御部によって、加算値が所定の値に収束するように（加算値が発散しないように）、係数の値（乗算値生成回路）を制御してもよい。言い換えると、制御部によって、加算値が所定の値に漸近するように係数の値を制御してもよい。
【００２２】
（６）この増幅回路において、
前記制御部は、
前記加算値が所定の値に収束するように前記係数の値を制御してもよい。
【００２３】
（７）この増幅回路において、
前記乗算値生成回路は、
バレルシフタを含んでもよい。
【００２４】
これにより、回路規模の小さい増幅回路を提供することができる。
【００２５】
（８）本発明に係る半導体集積回路装置は、上記いずれかの増幅回路を含む。
【００２６】
先に説明したように、上述の増幅回路は、ローパスフィルタの遮断周波数をデジタル信号処理によって設定する。そのため、ローパスフィルタの回路規模を小さくすることができ、増幅回路を、ローパスフィルタを含めて、外形の小さい１つの集積回路装置として実現する（ＩＣ化する）ことが可能になる。そして、本発明によると、１つの集積回路装置として実現された、ローパスフィルタを含む増幅回路を提供することができる。
【発明を実施するための最良の形態】
【００２７】
以下、本発明を適用した実施の形態について図面を参照して説明する。ただし、本発明は以下の実施の形態に限定されるものではない。また、本発明は、以下の内容を自由に組み合わせたものを含むものとする。
【００２８】
図１及び図２は、本実施の形態に係る増幅回路について説明するための図である。
【００２９】
本実施の形態に係る増幅回路は、図１に示すように、差動増幅回路１０（差動増幅器）を含む。差動増幅回路１０は、非反転入力に入力する第１の信号１と反転入力に入力する第２の信号２との差を増幅して出力するハードウェア（回路）である。第１の信号１は、センサなどの信号源の出力信号である。また、第２の信号２は、帰還回路１２の出力信号である。なお、帰還回路１２とは、差動増幅回路１０の出力信号を差動増幅回路１０に帰還（反転入力）させる回路である。本実施の形態に適用可能な差動増幅回路１０の構成は特に限定されるものではなく、既に公知となっているいずれかの差動増幅器を利用することができる。差動増幅回路１０は、オペアンプ（演算増幅器）によって構成されていてもよい。オペアンプは、例えば、トランジスタや抵抗、容量などを含んだ構成をなしていてもよい。
【００３０】
本実施の形態に係る増幅回路は、帰還回路１２を含む。帰還回路１２は、差動増幅回路１０の出力信号を差動増幅回路１０に帰還（反転入力）させる回路である。帰還回路１２は、フィードバック抵抗１４（Ｒｆ）と、グランド抵抗１６（Ｒｇ）を含んでいてもよい。これらの抵抗値を調整することで、増幅回路の増幅率を制御することができる。
【００３１】
帰還回路１２は、また、図１及び図２に示すように、ローパスフィルタ２０を含む。ローパスフィルタ２０は、帰還回路１２に挿入された、デジタル信号処理技術を利用したフィルタ回路であってもよい。この増幅回路では、ローパスフィルタ２０から出力された信号が、差動増幅回路１０に反転入力されるように構成されている。以下、図２を参照して、ローパスフィルタ２０の構成について説明する。なお、図２は、ローパスフィルタ２０の構成について説明するための図である。
【００３２】
ローパスフィルタ２０は、ＡＤ変換器３０、デジタル信号処理部４０、及び、ＤＡ変換器５０を含む。ＡＤ変換器３０は、差動増幅回路１０の出力信号をデジタル信号に変換する。デジタル信号処理部４０は、ＡＤ変換器３０から出力されたデジタル信号に基づいて、デジタル信号処理を行う。そして、ＤＡ変換器５０は、デジタル信号処理部４０から出力されたデジタル信号をアナログ信号Ｖｆに変換する。そして、ローパスフィルタ２０は、ＤＡ変換器５０から出力されたアナログ信号Ｖｆが差動増幅回路１０に負帰還するように構成される。
【００３３】
本発明の増幅回路によると、デジタル信号処理部４０から出力されたデジタル信号がアナログ信号に変換されて、差動増幅回路１０に負帰還する。すなわち、本発明では、デジタル信号処理部４０から出力されたアナログ信号に基づいて、ローパスフィルタ２０の遮断周波数が設定される。すなわち、本発明によれば、ローパスフィルタ２０の遮断周波数を、デジタル信号処理部４０におけるデジタル信号処理によって設定することが可能な増幅回路を提供することができる。そして、本発明によると、遮断周波数を容易にかつ正確に設定することができるローパスフィルタを有する、周波数応答特性を容易にかつ正確に設定することが可能な増幅回路を提供することができる。また、本発明によると、抵抗や容量を利用することなく帰還回路（ローパスフィルタ２０）を構成することができるため、回路規模の小さい増幅回路を提供することができる。
【００３４】
次に、本実施の形態に係る増幅回路に適用可能なデジタル信号処理部４０の具体的な構成について、図２を参照しながら説明する。
【００３５】
本実施の形態では、デジタル信号処理部４０は、ＡＤ変換器３０から出力されたデジタル信号に所定の係数を乗じた乗算値に基づくデジタル信号処理を行う。例えば、デジタル信号処理部４０は、ＡＤ変換器３０から出力されたデジタル信号値に所定の係数を乗じた値（乗算値）を生成する乗算値生成回路４２を含んでいてもよい。そして、デジタル信号処理部４０は、乗算値生成回路４２で生成された乗算値に基づくデジタル信号処理を行うように構成されている。
【００３６】
本実施の形態では、乗算値生成回路４２は、バレルシフタを含む構成をなしていてもよい。なお、バレルシフタとは、デジタル信号値をシフトさせることによって、当該デジタル信号値に２のｎ乗（ｎは整数）で表される値を乗じた乗算値を生成するハードウェア（回路）である。すなわち、乗算値生成回路４２としてバレルシフタを利用すると、ＡＤ変換器３０から出力されたデジタル信号値に、２のｎ乗で表される係数ｋを乗じた乗算値が生成される。乗算値生成回路４２としてバレルシフタを利用することで、乗算値生成回路４２の回路規模を小さくすることができる。ただし、本発明に適用可能な乗算値生成回路４２は、バレルシフタに限定されるものではなく、乗算値を生成することが可能ないずれかの手段（演算処理装置など）を適用することができる。
【００３７】
本実施の形態に係る増幅回路では、図２に示すように、デジタル信号処理部４０は、制御部４８を含む。制御部４８は、乗算値生成回路４２でデジタル信号に乗算される係数ｋの値（乗数）を制御する制御信号を生成する。そして、乗算値生成回路４２は、制御信号に基づき、係数ｋに対応した乗算値を生成する。なお、制御部４８から出力される制御信号が変化すると、乗算値生成回路４２でデジタル信号に乗算される係数ｋの値が変化するため、ローパスフィルタ２０から出力される信号が変化して、ローパスフィルタ２０の遮断周波数が変化する。すなわち、制御部４８を利用することによって、ローパスフィルタ２０の遮断周波数を容易に設定（変更）することが可能になる。
【００３８】
本実施の形態では、デジタル信号処理部４０は、加算器４４とラッチ４６（メモリ・記憶部）とをさらに含む。加算器４４とラッチ４６とをあわせて、アキュムレータ４５と称してもよい。本実施の形態では、加算器４４とラッチ４６とによって、乗算値に基づくデジタル信号処理を行う。以下、加算器４４及びラッチ４６（アキュムレータ４５）について説明する。
【００３９】
本実施の形態では、加算器４４は、乗算値（乗算値生成回路４２で生成された値）と、ラッチ４６に格納された値とを加算する。そして、加算器４４で生成された値（加算値）が、ラッチ４６に出力（格納）される。そして、本実施の形態では、ラッチ４６に格納された値が、ＤＡ変換器５０によってアナログ信号に変換されて、差動増幅回路１０に帰還する。
【００４０】
本実施の形態では、制御部４８は、ラッチ４６に格納される値（加算値）が所定の値に収束（漸近）するように、デジタル信号に乗算される係数ｋの値（乗数）を制御してもよい。例えば、係数ｋの値が、−１から１（あるいは、０から１）の範囲となるように、乗算値生成回路４２を制御してもよい。乗算値生成回路４２としてバレルシフタを利用する場合には、制御部４８によって、デジタル値を右シフトさせるように（前述したｎが負の値になるように）、バレルシフタを制御してもよい。
【００４１】
ただし、本発明に係る増幅回路（ローパスフィルタ）は、アキュムレータ４５を有しない構成となっていてもよい。
【００４２】
本実施の形態に係る増幅回路は、図１に示すように、フィルタ回路１８をさらに含んでいてもよい。フィルタ回路１８は、差動増幅回路１０の非反転入力端子の上流に配置される。すなわち、増幅回路は、フィルタ回路１８を介して、センサ等の出力信号を差動増幅回路１０の非反転入力に入力させるように構成してもよい。フィルタ回路１８は、ローパスフィルタであってもよい。これによると、センサなどの信号源から発信された信号が高周波数ノイズを含んでいる場合でも、該高周波ノイズが増幅されることを防止することが可能になるため、所望の信号を取り出すことができる。ただし、本発明に係る増幅回路は、フィルタ回路１８を有しない構成としてもよい。
【００４３】
本実施の形態に係る増幅回路は、以上のように構成されていてもよい。この増幅回路によると、デジタル信号処理部４０で生成されたデジタル信号によって、ローパスフィルタ２０の遮断周波数が設定される。そのため、この増幅回路によると、ローパスフィルタ２０の遮断周波数を容易にかつ正確に設定することができることから、増幅回路の周波数応答特性を、容易にかつ正確に設定することが可能になる。また、この増幅回路によると、容量や抵抗を利用することなくローパスフィルタ２０の遮断周波数を設定することができるため、増幅回路の回路規模を小さくすることが可能になる。すなわち、本発明によると、周波数応答特性を容易に、かつ正確に設定することができ、さらに、回路規模が小さい増幅回路を提供することができる。
【００４４】
図３には、本実施の形態に係る増幅回路の周波数応答特性についてシミュレーションした結果を示す。図３に示すシミュレーション結果を見ると、係数ｋの値を変化させることによって増幅回路の周波数応答特性が変化しており、本実施の形態に係る増幅回路の周波数応答特性は、係数ｋの値を調整することで制御することが可能であることがわかる。
【００４５】
本実施の形態に係る増幅回路は、１つの半導体集積回路装置（ＩＣチップ）として構成されていてもよい。先に説明したように、本実施の形態に係る増幅回路によると、ローパスフィルタ２０の回路規模を小さくすることができる。そのため、ローパスフィルタ２０を含む増幅回路を１つの集積回路装置として構成することで、周波数応答特性を容易に、かつ正確に設定することが可能で、さらに、外形の小さい増幅回路ＩＣを提供することができる。
【００４６】
なお、本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００４７】
以下、本発明を適用した具体的ないくつかの変形例について説明する。
【００４８】
（第１の変形例）
図４は、本発明を適用した第１の変形例に係る増幅回路について説明するための図である。
【００４９】
本実施の形態に係る増幅回路は、図４に示すように、差動増幅回路１０の飽和を検出する検出部６０を含む。検出部６０は、差動増幅回路１０の出力信号に基づいて差動増幅回路１０の飽和状態を検出し、検出信号を出力する。
【００５０】
そして、本実施の形態では、制御部４９は、検出部６０からの検出信号に基づいて制御信号を変化させるように構成されている。すなわち、本実施の形態に係る増幅回路では、制御部４９は、差動増幅回路１０の出力信号に応じて、ＡＤ変換器３０から出力されるデジタル信号に乗算される係数ｋの値（乗数）を変化させる制御を行う。そして、デジタル信号に乗算される係数ｋの値が変化すると、ローパスフィルタの遮断周波数が変化し、増幅回路の周波数応答特性が変化する（図３参照）。
【００５１】
この増幅回路によると、差動増幅回路１０に、これを飽和させるレベルの信号（ノイズ）が入力した場合であっても、ローパスフィルタの遮断周波数を適当な値に設定（変更）することによって増幅回路の周波数応答特性が適当な値に設定され、増幅回路の動作を短時間で正常な状態に回復させることができる。すなわち、差動増幅回路１０に突発的なノイズ信号が入力された場合でも短時間に増幅回路の動作を正常に回復させることが可能な、応答特性に優れた増幅回路を提供することができる。
【００５２】
図５（Ａ）及び図５（Ｂ）は、この変形例に係る増幅回路の動作シミュレーション結果を示す図である。図５（Ａ）は、ローパスフィルタの遮断周波数が変化しない増幅回路を利用して、脈波センサからの信号を増幅させた場合の出力信号をシミュレーションした結果を示す図である。なお、このシミュレーションでは、ローパスフィルタの遮断周波数は０．０７Hzに設定した。この増幅回路によると、図５（Ａ）に示すように、測定開始の直後に出力信号が飽和し、一定期間、信号を取り出すことができない状況が発生することがわかる。
【００５３】
これに対して、図５（Ｂ）は、本実施の形態に係る増幅回路（ローパスフィルタの遮断周波数を変化させることが可能な増幅回路）の動作シミュレーション結果を示す図である。図５（Ｂ）のシミュレーション結果を見ると、図５（Ａ）に較べて、増幅回路が飽和している時間が短くなることがわかる。すなわち、このシミュレーション結果から、本実施の形態によって、応答速度が速く、応答特性に優れた増幅回路を提供することが可能であることがわかる。
【００５４】
（第２の変形例）
図６は、本発明を適用した第２の変形例に係る増幅回路について説明するための図である。
【００５５】
本実施の形態に係る増幅回路は、乗算値生成回路７０を含む。乗算値生成回路７０は、バレルシフタ７２と、加算器７４、マスク７６、ビットシフタ７８を含む。バレルシフタ７２とＡＤ変換器３０との間に、加算器７４、マスク７６、ビットシフタ７８を設けることによって、乗算値生成回路７０を、２のｎ乗以外の値の係数を乗算するように構成することができる。この例では、ビットシフタ７８として１ビット左シフトさせるビットシフタを利用しており、１，１．５，２，３，４，６…といった係数を乗じた乗算値を得ることが可能になる。
【００５６】
すなわち、この変形例によると、バレルシフタと加算器等によって乗算値生成回路７０から出力される乗算値を所望の値に設定することが可能になるため、ローパスフィルタの遮断周波数（増幅回路の周波数応答特性）を細かく設定することが可能で、かつ、回路規模が小さい増幅回路を提供することができる。
【００５７】
なお、本発明に適用可能な乗算値生成回路７０は、これに限られるものではない。すなわち、図６では、ビットシフタ７８として１ビット左シフトさせるビットシフタを利用する例を示したが、デジタル信号を右シフトさせるビットシフタを利用してもよい。あるいは、シフトさせるビット数の異なる複数のビットシフタを利用して、乗算値生成回路７０を構成してもよい。これにより、ローパスフィルタの遮断周波数をさらに細かく設定することが可能な増幅回路を提供することができる。
【００５８】
（第３の変形例）
図７は、本発明を適用した第３の変形例に係る増幅回路について説明するための図である。
【００５９】
本実施の形態では、デジタル信号処理部は、乗算値生成回路８０を含む。乗算値生成回路８０は、複数の乗算回路８２を含む。複数の乗算回路８２は、それぞれ、入力された値に異なる乗数を乗算した結果を生成する回路である。例えば、乗算回路８２は、第１〜第Ｍ（Ｍは２以上の整数）の乗算回路を含む。そして、それぞれの乗算回路が、ＡＤ変換器３０から出力されたデジタル値に、異なる乗数を乗算した乗算値（あわせるとＭ個の乗算値）を生成する。そして、乗算値生成回路８０は、Ｍ個の乗算値が選択回路８４（ＭＵＸ）に入力するように構成されている。
【００６０】
そして、本実施の形態では、制御部から出力される制御信号が、選択回路８４の選択信号となり、Ｍ個の乗算値のいずれかが選択されて出力される。
【００６１】
この構成を採用した場合にも乗算値を容易に変更することが可能な増幅回路を提供することができる。
【図面の簡単な説明】
【００６２】
【図１】増幅回路について説明するための図。
【図２】増幅回路について説明するための図。
【図３】増幅回路の周波数特性に関するシミュレーション結果を示す図。
【図４】第１の変形例に係る増幅回路について説明するための図。
【図５】第１の変形例に係る増幅回路の動作シミュレーション結果を示す図。
【図６】第２の変形例に係る増幅回路について説明するための図。
【図７】第３の変形例に係る増幅回路について説明するための図。
【符号の説明】
【００６３】
１０…差動増幅回路、  １２…帰還回路、  １４…フィードバック抵抗、  １６…グランド抵抗、  １８…フィルタ回路、  ２０…ローパスフィルタ、  ３０…ＡＤ変換器、  ４０…デジタル信号処理部、  ４２…乗算値生成回路、  ４４…加算器、  ４５…アキュムレータ、  ４６…ラッチ、  ４８…制御部、  ４９…制御部、  ５０…ＤＡ変換器、  ６０…検出部、  ７０…乗算値生成回路、  ７２…バレルシフタ、  ７４…加算器、  ７６…マスク、  ７８…ビットシフタ、  ８０…乗算値生成回路、  ８２…乗算回路、  ８４…選択回路
【図１】
2008022448.tif 000003
【図２】
2008022448.tif 000004
【図３】
2008022448.tif 000005
【図４】
2008022448.tif 000006
【図６】
2008022448.tif 000007
【図７】
2008022448.tif 000008
【図５】
2008022448.tif 000009